(57)【特許請求の範囲】
【請求項１】
タービン動翼の翼根部と該翼根部が嵌合される翼溝との間に形成された隙間に設けられ、前記翼根部を付勢して前記翼溝に押し付ける翼根バネの脱着方法であって、
前記翼根部及び前記翼溝の少なくとも一方に対する前記翼根バネの接触面に形成された凹部に固形状の潤滑剤を充填する潤滑剤充填工程と、
前記凹部に溶剤を注入して前記凹部に充填された潤滑剤を流動化させて、前記翼根バネの接触面に流動化した潤滑剤を供給する潤滑剤供給工程と、
前記潤滑剤供給工程の後で、前記翼根バネを前記翼溝に対して脱着する脱着工程と
を備えることを特徴とする翼根バネの脱着方法。
【請求項２】
前記翼根バネには、前記凹部に連通するとともに、前記翼根バネの長手方向における端部において開口する流路が形成されており、
前記潤滑剤供給工程では、前記翼根バネの前記端部から前記流路を介して前記凹部に溶剤を注入することを特徴とする請求項１に記載の翼根バネの脱着方法。
【請求項３】
タービン動翼の翼根部と該翼根部が嵌合される翼溝との間に形成された隙間に設けられ、前記翼根部を付勢して前記翼溝に押し付ける翼根バネの脱着方法であって、
前記翼根部及び前記翼溝の少なくとも一方に対する前記翼根バネの接触面に流動化した潤滑剤を供給する潤滑剤供給工程と、
前記潤滑剤供給工程の後で、前記翼根バネを前記翼溝に対して脱着する脱着工程とを備え、
前記潤滑剤供給工程では、前記翼根バネの長手方向に沿って延在するように前記翼根バネの前記接触面に形成された溝部に、予め流動化させた潤滑剤を流し込むことで、前記翼根バネの前記接触面に潤滑剤を供給することを特徴とする翼根バネの脱着方法。
【請求項４】
タービン動翼の翼根部と該翼根部が嵌合される翼溝との間に形成された隙間に設けられ、前記翼根部を付勢して前記翼溝に押し付ける翼根バネの脱着方法であって、
前記翼根部及び前記翼溝の少なくとも一方に対する前記翼根バネの接触面に、溶剤によって流動化した粉体状の潤滑剤を供給する潤滑剤供給工程と、
前記潤滑剤供給工程の後で、前記翼根バネを前記翼溝に対して脱着する脱着工程とを備えることを特徴とする翼根バネの脱着方法。
【請求項５】
前記潤滑剤は、黒鉛、二硫化モリブデン、二硫化タングステン、ポリテトラフルオロエチレン及び窒化ホウ素のいずれか一つを含むことを特徴とする請求項１乃至４のいずれか一項に記載の翼根バネの脱着方法。
【請求項６】
タービン動翼の翼根部と該翼根部が嵌合される翼溝との間に形成された隙間に設けられ、前記翼根部を付勢して前記翼溝に押し付ける翼根バネであって、
前記翼根部及び前記翼溝の少なくとも一方との接触面に形成された凹部と、
前記凹部に設けられた潤滑剤と、
前記凹部に連通し、前記翼根バネの端部において開口する流路とを備えることを特徴とする翼根バネ。
【発明の詳細な説明】
【技術分野】
【０００１】
本発明は、タービン動翼の翼根部と該翼根部が嵌合される翼溝との間に形成された隙間に設けられ、翼根部を付勢して翼溝に押し付ける翼根バネの脱着方法及びその翼根バネに関する。
【背景技術】
【０００２】
回転機械である蒸気タービンやガスタービンのタービン動翼は、ロータの翼溝にタービン動翼の翼根部を嵌め合わせることによりロータに固定されている。この嵌合構造では、翼溝と翼根部との間に、製造公差等による隙間が存在する。このような隙間があっても、ロータが高速で回転しているときには、タービン動翼に作用する遠心力によってタービン動翼がロータに固定されるので、タービン動翼が振動することはない。
しかし、遠心力が低下するロータの低速回転時又は停止時にはタービン動翼が径方向に振動して、翼根部や翼溝の表面に傷を付けるおそれがある。また、この振動はタービン動翼の先端に取り付けられているシュラウドを介して伝達されて隣接するタービン動翼を損傷させる場合もある。そして、これらの損傷が著しい場合には、タービン動翼やロータの交換が必要となる場合もある。
【０００３】
そこで、例えば、特許文献１には、タービン動翼の振動防止を目的として、複数の湾曲部を有する翼根バネが開示されている。図７は、翼根バネを、翼根部の翼溝側先端面と翼溝の底面との間の隙間（以下、溝隙間という）内に設置した状態を示す図である。
図７に示すように、翼根バネ３１は、中間部３３と、端部３２Ａ、３２Ｂと、から構成されており、この中間部３３が翼根部２１に密着するように設けられている。そして、翼根バネ３１の強力な押付力を利用して翼根部２１を翼溝１１に押し付けることによって、タービン動翼２０をタービンロータ１０に固定して振動を防止している。
【０００４】
また、タービン動翼の振動防止を目的とするものではないが、特許文献２には、翼溝と翼根部との間の隙間全体にコンパウンドを充填する方法が開示されている。この方法は、翼根部を翼溝に嵌合した状態で、翼根部と翼溝との間に粒状コンパウンド又はスラリー状のコンパウンドを充填するものである。翼溝と翼根部との間の隙間が大きくてもコンパウンドで充填するため、精密に公差を管理しなくても翼根部と翼溝とを好適に接触させることができる。すなわち、翼根部及び翼溝の機械切削の公差を緩和することを目的としたものである。
【先行技術文献】
【特許文献】
【０００５】
【特許文献１】特開２００５−２７３６４６号公報
【特許文献２】特開昭６３−１７６６０１号公報
【発明の概要】
【発明が解決しようとする課題】
【０００６】
しかしながら、特許文献１に記載の翼根バネは、繰り返し荷重によるへたりや経年的使用による変形によって押し付け力が低下するおそれがあるため、タービンの定期点検時に適宜交換される。
交換作業では、棒状の治具を溝隙間内に設けられた翼根バネの端面に当接させて、そのまま治具を溝隙間の長手方向に沿って押し込むことにより、翼根バネを溝隙間の外へ押し出している。ところが、翼根バネの押し付け力は強大なので、翼根バネを治具で押し出すのに非常に大きな力が必要になり、時には、治具をハンマーで叩いたり、油圧ジャッキで押し出したりして翼根バネを溝隙間の外へ押し出すこともある。
また、点検後に、新たな翼根バネを溝隙間内に取り付ける際も、翼根バネの押付力が作用するので、取り外す際と同様に、翼根バネの端面に治具を当接させ、治具をハンマーで叩いたり、油圧ジャッキで押したりしながら翼根バネを溝隙間内に挿入する場合がある。
したがって、翼根バネを脱着する作業は、手間がかかるうえに困難なので長い作業時間を要する。
また、翼根バネにハンマーで衝撃を加えたり、油圧ジャッキで強大な荷重を付与したりすると、翼根バネに接している翼根部や翼溝に傷をつけてしまうおそれがある。
【０００７】
なお、特許文献２に記載の方法は、翼溝及び翼根部を機械切削する際の公差を緩和するためのものであり、タービン動翼の振動を防止するために翼根バネを設けること自体、記載が無い。
【０００８】
そこで、本発明は、タービン動翼の翼根部及びロータの翼溝を傷つけることなく、短時間で交換可能な翼根バネの脱着方法及びこの翼根バネを提供することを目的とするものである。
【課題を解決するための手段】
【０００９】
上述した課題を解決する本発明に係る翼根バネの脱着方法は、
タービン動翼の翼根部と該翼根部が嵌合される翼溝との間に形成された隙間に設けられ、前記翼根部を付勢して前記翼溝に押し付ける翼根バネの脱着方法であって、
前記翼根部及び前記翼溝の少なくとも一方に対する前記翼根バネの接触面に流動化した潤滑剤を供給する潤滑剤供給工程と、
前記潤滑剤供給工程の後で、前記翼根バネを前記翼溝に対して脱着する脱着工程とを備えることを特徴とする。
上記翼根バネの脱着方法によれば、潤滑剤を流動化させることで、潤滑剤が翼根バネと翼根部又は翼溝との接触面に広がって、翼根バネと翼根部又は翼溝との間の摩擦抵抗を低減するため、翼根部や翼溝に傷をつけずに短時間で脱着することができる。
【００１０】
また、前記翼根バネの前記接触面に形成された凹部に固形状の潤滑剤を予め充填する潤滑剤充填工程をさらに備え、
前記潤滑剤供給工程では、前記凹部に溶剤を注入して前記凹部に充填された潤滑剤を流動化させて前記接触面に供給することとしてもよい。
このように、予め凹部に配された潤滑剤を溶剤により流動化させることで、流動化された潤滑剤が凹部から翼根バネと翼根部又は翼溝との接触面に、にじみ出して当該接触面に潤滑剤を確実に供給することができる。
【００１１】
また、前記翼根バネには、前記凹部に連通するとともに、前記翼根バネの長手方向における端部において開口する流路が形成されており、
前記潤滑剤供給工程では、前記翼根バネの前記端部から前記流路を介して前記凹部に溶剤を注入することとしてもよい。
このように、翼根バネの端部において開口する流路を利用することで溶剤を凹部に確実に供給することができる。
【００１２】
また、前記潤滑剤供給工程では、前記翼根バネの長手方向に沿って延在するように前記翼根バネの前記接触面に形成された溝に、予め流動化させた潤滑剤を流し込むことで、前記翼根バネの前記接触面に潤滑剤を供給することとしてもよい。
このように、潤滑剤を予め流動化することで流動化状態の調整が容易となり、流動状態が均質な潤滑剤を作製できる。これにより、潤滑剤を翼根バネと翼根部又は翼溝との接触面に確実に広げることができる。
【００１３】
また、前記潤滑剤は、黒鉛、二硫化モリブデン、二硫化タングステン、ポリテトラフルオロエチレン及び窒化ホウ素のいずれか一つを含むこととしてもよい。
上記潤滑剤により、翼根バネと翼根部又は翼溝との間に生じる摩擦抵抗を低減することができる。また、潤滑剤である黒鉛、二硫化モリブデン、二硫化タングステン、ポリテトラフルオロエチレ、窒化ホウ素は、耐熱性に優れているので、蒸気タービンやガスタービンが使用される高温下においても使用することができる。
【００１４】
また、上述した課題を解決する本発明に係る翼根バネは、
タービン動翼の翼根部と該翼根部が嵌合される翼溝との間に形成された隙間に設けられ、前記翼根部を付勢して前記翼溝に押し付ける翼根バネであって、
前記翼根部及び前記翼溝の少なくとも一方との接触面に形成された凹部と、
前記凹部に設けられた潤滑剤と、
前記凹部に連通し、前記翼根バネの端部において開口する流路とを備えることを特徴とする。
上記翼根バネによれば、凹部に充填された潤滑剤を流動化させることで、潤滑剤が翼根バネと翼根部又は翼溝との接触面に広がって、翼根バネと翼根部又は翼溝との間の摩擦抵抗を低減するため、翼根部や翼溝に傷をつけずに短時間で脱着することができる。
また、予め凹部に配された潤滑剤を溶剤により流動化させることで、流動化された潤滑剤が凹部から翼根バネと翼根部又は翼溝との接触面に、にじみ出して当該接触面に潤滑剤を確実に供給することができる
また、翼根バネが翼根部と翼溝との間に設けられた状態でも、翼根バネの端部において開口する流路を利用することで溶剤を凹部に確実に供給することができる。
【発明の効果】
【００１５】
本発明によれば、タービン動翼の翼根部や翼溝を傷つけることなく翼根バネを短時間で脱着することができる。
【図面の簡単な説明】
【００１６】
【図１】本発明の第一実施形態に係るタービン動翼をタービンロータに接続した状態を示す斜視図である。
【図２】翼根部の翼溝側先端面と翼溝の底面との間の溝隙間に翼根バネを設けた状態を示す拡大断面図である。
【図３】翼根バネの側面図である。
【図４】翼根バネの平面図である。
【図５】本発明の第二実施形態に係る翼根バネを溝隙間に設けた状態を示す拡大側面図である。
【図６】翼根バネを図５のＡ方向から矢視した図である。
【図７】従来の翼根バネを溝隙間に設けた状態を示す拡大断面図である。
【発明を実施するための形態】
【００１７】
以下、本発明に係る回転機械の翼根バネの実施形態について図面を用いて詳細に説明する。なお、以下の説明では、翼根バネをガスタービンに適用した場合について説明するが、これに限定されるものではなく、蒸気タービンやジェットエンジン等のタービンにも適用することができる。加えて、ガスタービンやジェットエンジンの空気圧縮機等にも適用することができる。
また、以下の実施例に記載されている構成部品の寸法、材質、形状、その相対配置などは特に特定的な記載がない限り、この発明の範囲をそれのみに限定する趣旨ではなく、単なる説明例にすぎない。
【００１８】
図１は、本発明の第一実施形態に係るタービン動翼をタービンロータに接続した状態を示す斜視図である。
図１に示すように、ガスタービン１のタービン動翼２０は、翼根部２１がタービンロータ１０に形成された翼溝１１に嵌合することにより、タービンロータ１０に固定されている。
タービンロータ１０の外周部には、周方向に所定の間隔で複数の翼溝１１が設けられている。各翼溝１１は、タービンロータ１０の軸方向に沿って開口されている。加えて、各翼溝１１には、タービンロータ１０の径方向に沿って凸部１２及び凹部１３が交互に複数設けられている。また、タービン動翼２０の翼根部２１には、凹部１３と係合する凸部２２と、凸部１２と係合する凹部２３とが交互に複数設けられている。
そして、翼溝１１の凸部１２に翼根部２１の凹部２３が嵌合するとともに、翼溝１１の凹部１３に翼根部２１の凸部２２が嵌合してタービン動翼２０がタービンロータ１０に接続される。
また、翼根部２１の翼溝側先端面２４と翼溝１１の底面１４との間の溝隙間には翼根バネが設けられており、この翼根バネによって翼根部２１は翼溝１１に押し付けられている。
【００１９】
図２は、翼根部２１の翼溝側先端面２４と翼溝１１の底面１４との間の溝隙間に翼根バネを設けた状態を示す拡大断面図である。また、図３は、翼根バネ３の側面図である。
図２及び図３に示すように、溝隙間２内に設けられる翼根バネ３は、中間部３３と、端部３２Ａ、３２Ｂとを有し、仮想線ＣＬを中心として線対称に形成されている。この翼根バネ３の中間部３３は仮想線ＣＬに略直交するように延在しており、中間部３３の両側に設けられる端部３２Ａ、３２Ｂは湾曲形状を有し、その先端３６は仮想線ＣＬを挟んで対向している。
すなわち、翼根バネ３は、両端部３２Ａ、３２Ｂが翼溝１１の底面１４に接触するとともに、中間部３３が翼根部２１の翼溝側先端面２４に密着するように設けられている。
【００２０】
図４は、翼根バネ３の平面図である。
図４に示すように、翼根バネ３の中間部３３には、複数の凹部５と、一対の第１流路６と、複数の第２流路７とが形成されている。
凹部５は、中間部３３の長手方向に沿って所定の間隔で設けられている。
一対の第１流路６は、すべての凹部５を間に挟むように設けられている。また、各第１流路６は、翼根バネ３の一端面３４から他端面３５まで延在し、両端面３４、３５にそれぞれ開口８を有するように形成されている。これらの開口８から第１流路６内へ溶剤（後述する）を供給する。
そして、第２流路７は、各第１流路６の途中に、各第１流路６と各凹部５とを連通するように設けられている。
なお、凹部５の外寸、深さ、形状及び数等は、翼根バネ３の強度を低下させないように設計等により決定される。また、第１流路６及び第２流路７の配置位置及び数はこれに限定されるものではなく、翼根バネ３を溝隙間２内に設けた状態ですべての凹部５に溶剤を送給できる配置及び形状であればよい。
【００２１】
凹部５には、固形状の潤滑剤４が配されている。また、潤滑剤４を流動化するための溶剤は、各開口８から第１流路６に送給され、各第２流路７を通過して各凹部５に供給される。潤滑剤４が溶剤に接触すると、少なくとも潤滑剤４の一部は、溶剤に溶け込んで或いは溶剤に分散して流動状態となる。
潤滑剤４は、溶剤によって流動化し易いように、粉体状にして用いることが好ましい。また、潤滑剤４として、高い面圧下において高い潤滑性、耐摩耗性及び耐熱性を有する材料を用いるのが好ましく、例えば、黒鉛、二硫化モリブデン、二硫化タングステン、ポリテトラフルオロエチレ（ＰＴＦＥ）、窒化ホウ素のいずれか一つを含むものを用いる。潤滑剤４として、耐熱性を有する黒鉛、二硫化モリブデン、二硫化タングステン、ポリテトラフルオロエチレ（ＰＴＦＥ）、窒化ホウ素のいずれか一つを含む材料を用いることで、ガスタービンや蒸気タービンに好適に用いることができる。
【００２２】
溶剤は、潤滑剤４を流動化可能な液体であれば特に限定されないが、例えば、水、アルコール、トルエン、ヘキサン、アセトン等を用いることができる。特に、潤滑剤４との親和性が高い液体が好ましい。
【００２３】
次に、翼根バネ３を溝隙間２内から取り外す方法について説明する。
まず、溝隙間２内に設けられている翼根バネ３の開口８から第１流路６内へ溶剤を供給する。第１流路６内に供給された溶剤は、各第２流路７を通過して各凹部５内に送給される。送給された溶剤によって潤滑剤４が流動化する。
【００２４】
続いて、凹部５内の潤滑剤４が流動化した状態で、溝隙間２内に設けられている翼根バネ３を溝隙間２の長手方向へ移動させると、潤滑剤４が翼根部２１の翼溝側先端面２４と翼バネ３の中間部３３との接触面に広がるため、翼根部２１の翼溝側先端面２４と翼根バネ３の中間部３３表面との間に生じる摩擦抵抗が低減される。これによって、翼根部２１及び翼溝１１を傷つけることなく、翼根バネ３を短時間で取り外すことができる。
【００２５】
次に、翼根バネ３を溝隙間２内に挿入する方法について説明する。
【００２６】
まず、潤滑剤４を凹部５に配した翼根バネ３の開口８から第１流路６内へ溶剤を供給する。第１流路６内に供給された溶剤は、各第２流路７を通過して各凹部５に送給される。そして、送給された溶剤によって潤滑剤４が流動化する。なお、溝隙間２に挿入する前の翼根バネ３に溶剤を供給する際は、溶剤を開口８から供給せずに、直接凹部５内に供給してもよい。
【００２７】
続いて、翼根バネ３を溝隙間２内に挿入する。翼根バネ３の端部を溝隙間２内に挿入すると、流動化した潤滑剤４が翼根部２１の翼溝側先端面２４と翼バネ３の中間部３３との接触面に広がるため、翼根部２１と翼根バネ３との間の摩擦抵抗が低減される。これによって、翼根部２１及び翼溝１１を傷つけることなく、短時間で翼根バネ３を挿入することができる。
潤滑剤４を流動化して翼根バネ３を翼溝１１内に挿入しても、溶剤は時間の経過とともに気化して、凹部５には乾燥した状態の潤滑剤４が残置される。その後、翼根バネ３を取り外す際には、上述したように、溶剤を供給することにより潤滑剤４を再び流動化できる。
【００２８】
上述したように、本実施形態における翼根バネ３の脱着方法によれば、潤滑剤４を流動化させることで、潤滑剤４が翼根部２１の翼溝側先端面２４と翼バネ３の中間部３３との接触面に広がって、翼根バネ３と翼根部２１との間の摩擦抵抗を低減するため、翼根部２１及び翼溝１１の表面に傷を付けることなく翼根バネ３を短時間で脱着することができる。
また、第１流路６及び第２流路７を介して翼根バネ３の凹部５に溶剤を供給することで、潤滑剤４を流動化することができる。
【００２９】
なお、本実施形態においては、翼根部２１の翼溝側先端面２４と接触する翼根バネ３の中間部３３に凹部５、第１流路６及び第２流路７を設けた場合について説明したが、これに限定されるものではなく、翼溝１１の底面１４と接触する端部３２Ａ、３２Ｂの接触面に凹部５、第１流路６及び第２流路７を設けてもよい。
【００３０】
次に、本発明の第二実施形態について説明する。以下の説明において、上記の実施形態に対応する部分には同一の符号を付して説明を省略し、主に相違点について説明する。
【００３１】
図５は、本発明の第二実施形態に係る翼根バネを溝隙間２内に設けた状態を示す拡大側面図である。
図５に示すように、翼根バネ４３は、湾曲しながら両端部が翼溝１１の底面１４に接触する中間部４５と、中間部４５の両端からそれぞれ翼溝１１の側面４６に接触しながら上方に湾曲するように延設されて翼根部２１に接触する端部４４Ａ、４４Ｂと、から構成されている。
【００３２】
図６は、翼根バネ４３を図５のＡ方向から矢視した図である。
図６に示すように、翼根バネ４３の中間部４５には、一対の溝４７が形成されている。各溝４７は、翼根バネ４３の一端面３４から他端面３５まで延在し、両端面３４、３５にそれぞれ開口８を有するように形成されている。
【００３３】
次に、翼根バネ４３を溝隙間２内から取り外す方法について説明する。
まず、潤滑剤４を予め溶剤で流動化しておく。このとき、所望の流動化状態が得られるように調整する。
次に、溝隙間２内に設けられている翼根バネ４３の開口８から溝４７内へ流動化した状態の潤滑剤４を供給する。
続いて、翼根バネ４３を溝隙間２の長手方向へ移動させると、潤滑剤４が翼溝１１の底面１４と翼根バネ４３の中間部４５表面との接触面に広がるため、翼溝１１の底面１４と翼根バネ４３の中間部４５表面との間に生じる摩擦抵抗が低減される。これによって、翼根部２１及び翼溝１１を傷つけることなく、翼根バネ４３を短時間で取り外すことができる。
【００３４】
次に、翼根バネ４３を溝隙間２内に挿入する方法について説明する。
【００３５】
まず、翼根バネ４３を取り外すときと同様に、潤滑剤４を溶剤で流動化し、翼根バネ４３の開口８から溝４７へ流動化した状態の潤滑剤４を供給する。なお、溝隙間２に挿入する前の翼根バネ３に流動化した状態の潤滑剤４を供給する際は、開口８から供給せずに、直接、溝４７内に供給してもよい。
続いて、翼根バネ４３を溝隙間２内に挿入する。翼根バネ４３の端部を溝隙間２内に挿入すると、流動化した潤滑剤４が翼溝１１の底面１４と翼根バネ４３の中間部４５表面との接触面に広がるため、翼溝１１の底面１４と翼根バネ４３の中間部４５表面との間に生じる摩擦抵抗が低減される。これによって、翼根部２１及び翼溝１１を傷つけることなく、短時間で翼根バネ３を挿入することができる。
【００３６】
上述したように、本実施形態における翼根バネ４３の脱着方法によれば、均質な流動状態の潤滑剤４を供給することにより、この潤滑剤４が翼溝１１の底面１４と翼根バネ４３の中間部４５表面との接触面に広がって、翼根バネ３と翼根部２１との間の摩擦抵抗を接触面全体において均等に低減することができる。
【００３７】
なお、本実施形態においては、翼溝１１の底面１４と接触する翼根バネ４３の中間部４５に溝４７を設けた場合について説明したが、これに限定されるものではなく、翼根部２１の翼溝側先端面２４と接触する端部４４Ａ、４４Ｂの接触面に溝４７を設けてもよい。また、例えば、第一実施形態で示した翼根バネ３を用いる場合には、翼根部２１の翼溝側先端面２４と接触する中間部３３の接触面に溝４７を設けてもよい。
【００３８】
なお、翼根バネ３、４３の形状は、上述した各実施形態で説明した形状に限定されるものではなく、例えば、管形状を有し、その管軸方向に直交する断面がＣ型形状をなすように側面が開口した形状や筒状のものを用いてもよい。
【００３９】
なお、上述した各実施形態では、翼根バネ３をガスタービンに適用した場合について説明したが、これに限定されるものではなく、蒸気タービンやジェットエンジン等のタービンにも適用することができる。加えて、ガスタービンやジェットエンジンの空気圧縮機等にも適用することができる。
【符号の説明】
【００４０】
１  ガスタービン
２  溝隙間
３  翼根バネ
４  潤滑剤
５  凹部
６  第１流路
７  第２流路
８  開口
１０  タービンロータ
１１  翼溝
１２  凸部
１３  凹部
１４  底面
２０  タービン動翼
２１  翼根部
２２  凸部
２３  凹部
２４  翼溝側先端面
３１  翼根バネ
３２Ａ、３２Ｂ  端部
３３  中間部
３４  一端面
３５  他端面
３６  先端
４３  翼根バネ
４４Ａ、４４Ｂ  端部
４５  中間部
４６  側面
４７  溝
ＣＬ  仮想線
【図１】
0005611096.tif 000002
【図２】
0005611096.tif 000003
【図３】
0005611096.tif 000004
【図４】
0005611096.tif 000005
【図５】
0005611096.tif 000006
【図６】
0005611096.tif 000007
【図７】
0005611096.tif 000008